(57)【特許請求の範囲】
【請求項１】
第１の部分およびこれに対向する第２の部分を有し、該第２の部分は開口を有するハウジングと、
前記ハウジングの中に回転可能に配置され、ハブと、該ハブから突出する複数の離間配置された平行フランジとを有するリールと、
前記ハウジングの前記第１の部分上にあって、前記ハブの中に突出し、その周辺部の少なくとも一部に沿って歯を有している円筒形ポストと、
前記リール上にあって、前記開口を通して接近可能であり、テープ駆動装置が前記リールを前記ハウジング内で回転させることができるように、前記リールを前記テープ駆動装置に結合させるよう動作するテープ駆動装置接続部と、
前記ハブ内に移動可能に取付けられた腕であって、第１の部分および前記テープ駆動装置接続部の中に突出する第２の部分を有し、上部が前記ポストの前記歯と噛み合って前記リールが少なくとも一つの方向に回転しないようにする第１の位置と、前記上部が前記ポストの前記歯と噛み合わず、前記リールが両方向に自由に回転する第２の位置との間で動作する腕と、
を備えることを特徴とするテープ・カートリッジ。
【請求項２】
第１の部分およびこれに対向する第２の部分を有し、該第２の部分は開口を有するハウジングと、
前記ハウジングの中に回転可能に配置され、ハブと、該ハブから突出する複数の離間配置された平行フランジとを有するリールと、
前記ハウジングの前記第１の部分の上にあって、前記ハブの中に突出し、その内面の少なくとも一部に沿って歯を有している円環輪と、
前記リール上にあって、前記開口を通して接近可能であり、テープ駆動装置が前記リールを前記ハウジング内で回転させることができるように、前記リールを前記テープ駆動装置に結合させるよう動作するテープ駆動装置接続部と、
前記ハブに移動可能に取付けられた腕であって、第１の部分および前記テープ駆動装置接続部の中に突出する第２の部分を有し、上部が前記円環輪の中の前記歯と噛み合って前記リールを少なくとも一つの方向で回転させないようにする第１の位置と、前記上部が前記円環輪の中の前記歯と噛み合わず、前記リールが両方向に自由に回転する第２の位置との間で動作する腕と、
を備えることを特徴とするテープ・カートリッジ。
【発明の詳細な説明】
【０００１】
【産業上の利用分野】
本発明は、一般にテープ・カートリッジに関するものであり、更に詳細には、カートリッジがテープ駆動機構に設置されていないときテープ・リールの回転を防止するテープ・カートリッジ・リール・ロックに関する。
【０００２】
【従来の技術】
データを格納するのに広く使用されている媒体は、記録テープであり、これは通常磁性皮膜のあるポリマ・テープである。テープ・カートリッジは、データをテープに格納するための最も普及している様式である。テープ・カートリッジは普通、リールからリールへ掛け渡されるテープ（リール間テープ）より小さく且つ廉価である。広く使用されている２種類のテープ・カートリッジは、二重リール・カートリッジおよび単一供給リール・カートリッジである。テープをカートリッジ内に囲むことにより、テープおよびテープに格納されたデータは、多く露出しているリール間テープより良く損傷から保護される。二重リール・カートリッジでは、供給リールおよび巻取りリールは共にカートリッジ内に収納されている。単一供給リール・カートリッジでは、巻取りリールは、自動テープ・スレッディング機構と共にテープ駆動装置に組み込まれている。
テープ・カートリッジがテープ駆動装置またはテープ・プレーヤの中で使用されていないとき、リールが無為に回転してテープの張力が緩み、部分的にリールから巻き戻されることがある。この問題を避けるのに、テープ・カートリッジは通常、或る種のリール・ロックを備えている。単一および二重リール・テープ・カートリッジに使用するための多様なリール・ロックが業界で知られている。一つの普通の形式のリール・ロックは、リール・フランジの一方の外縁の周りに形成された歯に噛み合わせるのに一つ以上の爪を使用している。ＶＨＳ、Ｈi-8、およびＤＬＴ型のテープ・カートリッジは、この形式のロックを普通に使用している。これらのカートリッジでは、ロックは、カートリッジがテープ駆動装置またはプレーヤに設置されるにつれて解放され、したがって、テープ・リールをテープ駆動装置がリールに噛み合う前に解放することができる。テープ駆動装置がリールに噛み合ってリールの角位置および速度を制御できる瞬間は、ロツクを解放するのに最も望ましい時間である。たとえば、ＩＢＭ 3480 単一リール・カートリッジは、リールの外縁にではなく、リールのハブに形成された噛合い同軸歯車を有するロック機構を使用している。噛合い歯車は、テープ駆動装置の駆動機構がリールのハブに噛み合うにつれて分離され、リールを解放する。この装置は駆動機構がリール・ハブに噛み合うまでロックが解除されないので有利であるが、頑強にロックされている噛合い歯車を噛み合いから解放するのにかなりな量の垂直移動が必要である。
【０００３】
【発明が解決しようとする課題】
本発明は、テープ・リールの回転を防止する装置を備えたテープ・カートリッジを提供することを目的とする。
【０００４】
【課題を解決するための手段】
本発明は、頑強なロックを与えるのに必要な垂直移動を極小にしながら、駆動機構がハブと噛み合うと同時にリールを解放することができる、ハブにリール・ロックを有するテープ・カートリッジを目指している。本発明のカートリッジは、ハウジングおよびハウジング内にテープ・リールを備えている。リールのテープ駆動装置接続手段は、普通、リール・ハブにある円形歯車であるが、ハウジングの底面にある開口を通してテープ駆動装置の駆動機構に接触することができる。腕がハブに取付けられている。腕は、腕がハウジングに係合してリールが少なくとも一方向に回転しないようにする第１の位置と、腕がハウジングに係合せず、リールが両方向に自由に回転する第２の位置との間を移動する。本発明の一実施形態では、腕はハウジングの上部に接続されまたは一体になっている円筒形ポストに係合している。ポストは、ハブ内に突出し、その周囲の少なくとも一部に歯を備えている。腕の一端は、歯に噛み合ってリールをロックするように作られている。腕の他端は、ハブの底面にあるテープ駆動装置接続歯車の中に突出しているので、テープ駆動装置がハブ歯車に噛み合うにつれて、テープ駆動装置は腕にも噛み合って腕を旋回させ、タブをポストの歯から解放し、リールのロックを解除する。他の実施形態では、腕の一端は、リングの歯と噛み合ってリールをロックし、他端は、接続歯車の中に突出している。両実施形態において、腕はばねまたは他の適切な片寄せ機構を使用してロック位置に片寄せられている。
【０００５】
【実施例】
図１−図３を参照すると、単一リール・テープ・カートリッジ10は、ハウジング12、テープ供給リール14、およびテープ16を備えている。ハウジング12は、テープの単一リールを囲むように構成された長方形の箱状の構造物である。ハウジング12は普通、プラスチック成形された二つの部分、カバー部分12aおよび基体部分12b、から形成されている。しかし、本発明のリール・ロックを更に良く図解するため、ハウジング12を上部18、対向して平行する下部20、および上部18と下部20との間に広がる側壁22を参照して説明することにする。テープ16は、アクセス窓24によりテープ駆動装置（図示せず）に接触することができる。ドア26は、カートリッジ10がテープ駆動装置に設置されていないときアクセス窓24を覆っている。
【０００６】
図３および図４を参照すると、テープ・リール14は、円盤形状の上部および下部フランジ32および34、および円環ハブ36を備えている。円形ハブ歯車38がハブ36の下面に設置されている。ハブ歯車38は、テープ駆動装置とカートリッジとの間の動作接続部である。ハブ歯車38は、テープ駆動装置の駆動機構にある噛み合い同軸歯車により噛み合っている。ハブ歯車38は、ハウジング12の底部にある開口40を通してテープ駆動装置と接触する。ハブ歯車38は通常リール・ハブ36の一体部分として形成されるが、リール・ハブ36に動作可能に接続される別個の構成要素として構成することができる。
【０００７】
図４−図６を参照すると、リール・ロック50は、リール・ハブ36の内側の周りに離間位置に設置された腕52を備えている。図４−図８の断面図には腕52を一つだけ示してある。ハブ36の周りに等間隔に設置された３個の腕が、頑強なロツクに対する殆どの用途に十分であろうと推測される。３個の腕52の下部66がそれを通してハブ歯車38の中に突出する開口68の位置を図３に示してある。腕52は止め56の一連の歯54に噛み合うよう動作する。図４−図６に示した実施形態では、止め56は、ハウジング12の一体部分として上部から下に突出して形成された円筒形のポストである。他の形式の止めを使用することができる。たとえば、止めを図７に示すように窪んだ円筒形ポストとしてまたは図８に示すように内歯のある円
環輪として構成することができる。
【０００８】
止め56とテープ・リール14との間に設置されたコイルばね42、または磁気的に予備負荷されたＩＢＭ 3480カートリッジのような他の適切な片寄せ機構がリール14を下方にハウジング12の下面に向かって押している。したがって、この片寄せ機構は、カートリッジ10がテープ駆動装置に設置されているときハブ歯車38を駆動歯車70の方に押す反力をも供給する。歯54は、止め56の円周の周りに形成されている。腕52の上部60は、リール・ロック50がロック位置にあるとき歯54と噛み合う。図５はロック位置にあるリール・ロック50を示す。図６は、解放位置にあるロック50を示す。上部60は、リール14がいずれの方向にも回転しないようにする回し金として動作することができる。または、上部60は、リール14が一方向にだけ回転しないようにする、好適にはテープ16がリール14で巻き戻されないようにする爪として動作することができる。
【０００９】
腕52は、リール・ハブ36の内側壁64から突出して形成されているピボットピン62に取付けられている。腕52は、上部60が止め56に噛み合ったり解放されたりし、それによりリール14をロックしたり解放したりするように、ピン62の周りを旋回する。ねじりばね64が上部60を歯54に押し込み、リール・ロック50をロック位置に片寄せる。腕52の下部66は、開口68（図３に示す）を通してハブ歯車38の中に突入している。下部66は、テープ駆動歯車70がハブ歯車38に噛み合って腕52の下部66を持ち上げるにつれて、腕52がピン62の周りを旋回するように傾斜している。
【００１０】
図７に示すリール・ロック50の第２の実施形態では、歯54は、止め56の窪み58の中に形成され、腕52の下部66は、丸められ、上部60は傾斜している。この実施形態では、窪み58および上部60の係合部の傾斜は、駆動歯車70が腕52を持ち上げてリール・ロック50を解放するにつれて、腕52を旋回させる。ピボットピン62は、腕52に形成された溝穴72の中を滑り、腕52の垂直移動に適応する。腕52とハブ36との間の圧縮ばね74は、上部60を歯54に押込んでリール・ロック50をロック位置に片寄せる。
【００１１】
図８に示す第３の実施形態では、止め56は、ハウジング12の上部18から下に突出する円環輪76として構成されている。歯54は、輪76の内壁に沿って形成されている。腕52は、ハブ36の内側に向かって旋回し、リールを解放する。この実施形態では、ピボットピン62は、腕52の中心の下に設置され、腕52の下部66に対する上部60の移動を増幅する。ピボットピン62の位置は、上部60および下部66の相対移動を制御するのに使用される。殆どの用途においてピボットピン62は、下部66の小さい変位が上部60の比較的大きい移動に変換されるように低く設置されることが予想される。
【００１２】
「歯」は、突起および窪みの鋭い、傾斜した、丸みの付いたまたは他の組合せを意味する。好適には、腕52の上部は、止め56の歯54に噛み合う一つ以上の同様の形状のまたは相補的形状の歯を所持している。
【００１３】
これら例示実施形態に関して図示し且つ説明した本発明は、本発明の構造および使用法を理解し説明するのに必要なステップおよび構造を備えている。当業者に周知であるが本発明を理解するのに不可欠ではないテープ・カートリッジの使用法に通常関係する他の代表的ステップおよび構造については、詳細に説明していない。本発明のリール・ロックを図１に示したもののような単一リール・テープ・カートリッジを参照して説明してきたが、ロックを、テープ駆動装置またはテープ・プレーヤのテープ駆動機構がリールに噛み合ってテープを移動させる様々な他の形式のテープ・カートリッジに使用できる。また、上に図示し説明したピボット・マウントを使用するのではなく、腕52をハブに取付けて半径方向に滑らせ、リールをロックしたり解除したりすることができる。しかし、ピボット・マウントは、それによりレバー腕の長さを変えてロック用腕52の端の相対移動を容易に制御することができるため、有利である。したがって、これらのおよび他の修正案および変形案は、特許請求の範囲に表現した本発明の範囲から逸脱することなく可能であることが理解されよう。
【００１４】
以上、本発明の実施例について詳述したが、以下、本発明の各実施態様の例を示す。
【００１５】
[実施態様１]
第１の部分（18）および対向する第２の部分（20）を有し、該第２の部分（20）は開口（40）を有するハウジング（12）と、
前記ハウジング（12）の中に回転可能に配置され、ハブ（36）と、該ハブ（36）から突出する複数の離間配置された平行フランジ（32、34）とを有するリール（14）と、
前記リール（14）上にあって、前記開口（40）を通して付勢可能であり、テープ駆動装置が前記リール（14）を前記ハウジング（12）内で回転させることができるように、前記リール（14）を前記テープ駆動装置に結合させるよう動作するテープ駆動装置接続部（38）と、
前記ハブ（36）に移動可能に取付けられた腕（52）であって、該腕（52）が前記ハウジング（12）に噛み合って前記リール（14）を少なくとも一つの方向に回転させないようにする第１の位置と、前記腕（52）が前記ハウジング（12）に噛み合わず、前記リール（14）が両方向に自由に回転する第２の位置との間で動作する腕（52）と、
を備えて成るテープ・カートリッジ（10）。
【００１６】
[実施態様２]
前記腕（52）は前記ハブ（36）内に枢軸周りを旋回するように取付けられていることを特徴とする実施態様１に記載のカートリッジ。
【００１７】
[実施態様３]
前記腕（52）は前記第１の位置に片寄せられていることを特徴とする実施態様１に記載のカートリッジ。
【００１８】
[実施態様４]
前記ハウジング（12）の第１の部分（18）に接続され、前記ハブ（36）の中に突出している止め（56または76）をさらに備えて成り、前記腕（52）は、該腕（52）が前記第１の位置にあるとき前記止め（56または76）に噛み合い、前記腕（52）が前記第２の位置にあるとき前記止め（56または76）に噛み合わないことを特徴とする実施態様１に記載のカートリッジ。
【００１９】
[実施態様５]
第１の部分（18）および対向する第２の部分（20）を有し、該第２の部分（20）は開口（40）を有するハウジング（12）と、
前記ハウジング（12）内に回転可能に配置され、ハブ（36）と該ハブ（36）から突出する複数の離間配置された平行フランジ（32、34）とを有するリール（14）と、
前記ハウジング（12）の第１の部分（18）にあって前記ハブ（36）内に突出し、その周囲の少なくとも一部に沿って歯（54）を有している円筒形ポスト（56）と、
前記リール（14）上にあって、前記開口（40）を通して付勢可能であり、テープ駆動装置が前記リール（14）を前記ハウジング（12）内で回転させることができるように、前記リール（14）を前記テープ駆動装置に結合するよう動作するテープ駆動装置接続部（38）と、
前記ハブ（36）内に移動可能に取付けられ、第１の部分（60）と、前記テープ駆動装置接続部（38）の中に突入している第２の部分（66）とを有し、上部が前記ポスト（56）の歯（54）と噛み合って前記リール（14）が少なくとも一方向に回転しないようにする第１の位置と、前記上部が前記ポスト（56）の歯（54）と噛み合わず前記リール（14）が両方向に自由に回転する第２の位置との間で動作する腕（52）と、
を備えて成るテープ・カートリッジ（10）。
【００２０】
[実施態様６]
前記腕（52）は前記ハブ（36）に枢軸周りを旋回するように取付けられていることを特徴とする実施態様５に記載のカートリッジ。
【００２１】
[実施態様７]
前記テープ駆動装置接続部（38）は前記リール（14）のハブ（36）に動作可能に接続された歯車（38）を有し、前記腕（52）の第２の部分（66）は前記歯車（38）の開口（68）の中に突入していることを特徴とする実施態様５に記載のカートリツジ。
【００２２】
[実施態様８]
前記腕（52）の上部を前記ポスト（56）の歯（54）に押し込む片寄せ要素（64または74）をさらに備えて成ることを特徴とする実施態様５に記載のカートリッジ。
【００２３】
[実施態様９]
第１の部分（18）および対向する第２の部分（20）を有し、該第２の部分（20）は開口（40）を有するハウジング（12）と、
前記ハウジング（12）内に回転可能に配置され、ハブ（36）と該ハブ（36）から突出する複数の離間配置された平行フランジ（32、34）とを有するリール（14）と、
前記ハウジング（12）の第１の部分（18）にあって、前記ハブ（36）の中に突出し、その内壁の少なくとも一部に沿って歯（54）を有している円環輪（76）と、
前記リール（14）上にあって、前記開口（40）を通して付勢可能であり、テープ駆動装置が前記リール（14）を前記ハウジング（12）内で回転させることができるように、前記リール（14）を前記テープ駆動装置に結合するよう動作するテープ駆動装置接続部（38）と、
前記ハブ（36）に移動可能に取付けられ、第１の部分（60）および前記テープ駆動装置接続部（38）の中に突入している第２の部分（66）を有し、上部が前記円環輪（76）の歯（54）と噛み合って前記リール（14）が少なくとも一方向に回転しないようにする第１の位置と、前記上部が前記円環輪（76）の歯（54）と噛み合わず前記リール（14）が両方向に自由に回転する第２の位置との間で動作する腕（52）と、
を備えて成るテープ・カートリッジ（10）。
【００２４】
[実施態様１０]
前記テープ駆動装置接続部（38）は前記リール（14）のハブ（36）に動作可能に接続された歯車（38）を有し、前記腕（52）の第２の部分（66）は前記歯車（38）の開口（68）の中に突入していることを特徴とする実施態様９に記載のカートリツジ。
【００２５】
【発明の効果】
以上説明したように、本発明を用いることにより、テープ・リールの不要な回転を防止することができる。
【図面の簡単な説明】
【図１】単一供給リール・テープ・カートリッジの上側面斜視図である。
【図２】図１の単一供給リール・テープ・カートリッジの下側面斜視図である。
【図３】図１および図２のテープ・カートリッジの分解図でリール・ロックの一実施形態を示す図である。
【図４】図１乃至図３のカートリッジの中心ハブ部分の部分断面図である。
【図５】リール・ロック時のリールのハブ部分の詳細断面図である。
【図６】リール解放時のリールのハブ部分の詳細断面図である。
【図７】リール・ロックの第２の実施形態を示すリールのハブ部分の詳細断面図である。
【図８】リール・ロックの第３の実施形態を示すリールのハブ部分の詳細断面図である。
【符号の説明】
１４：テープ供給リール
３６：ハブ
５０：リール・ロック
５２：腕
５４：歯
５６：止め
６２：ピボットピン
【図１】
0003659820.tif 000002
【図２】
0003659820.tif 000003
【図３】
0003659820.tif 000004
【図４】
0003659820.tif 000005
【図５】
0003659820.tif 000006
【図６】
0003659820.tif 000007
【図７】
0003659820.tif 000008
【図８】
0003659820.tif 000009